(57)【特許請求の範囲】
【請求項１】
多角形又は円形である同じ形状の開口部が多数配設された格子状体の各開口部内に桟状片を架設して、該多数の桟状片により前記開口部の形状とは異形となる形状配設パターンを構成し、各桟状片の厚み及び巾寸法を格子状体を構成する各格子片の厚み及び巾寸法よりも小さく設定して同各桟状片を前記開口部の厚さスペース範囲内に納めてなり、これを合成樹脂にて一体に形成してなる合成樹脂製フィルター。
【請求項２】
格子状体の開口部が四角以上の多角形であり、該多角形の対角線上に少なくとも一方向の桟状片が配置されて、各桟状片により前記多角形とは異形の多角形となる形状配設パターンが構成されることを特徴とする請求項１記載の合成樹脂製フィルター。
【請求項３】
格子状体の開口部が正六角形であり、該正六角形の中心を通る一対角線上に一方向の桟状片が配置されると共に、該桟状片の中央でこれと直交する方向に他方向の桟状片が配置されて、両方向の各桟状片により正四角形となる形状配設パターンが構成されることを特徴とする請求項２記載の合成樹脂製フィルター。
【請求項４】
各桟状片の厚さ方向での端部側面がＲ状小凸曲面として形成されていることを特徴とする請求項１〜３のいずれか一つの請求項記載の合成樹脂製フィルター。
【請求項５】
格子状体を構成する各格子片の厚さ方向での端部側面がＲ状大凸曲面として形成されていることを特徴とする請求項１〜４のいずれか一つの請求項記載の合成樹脂製フィルター。
【発明の詳細な説明】
【０００１】
【発明の属する技術分野】
本発明は、合成樹脂にて一体に形成されるゴミ混入出防止用の合成樹脂製フィルターに関するものである。
【０００２】
【従来の技術】
従来から、合成樹脂にて網目状に一体に形成してなるゴミ混入出防止用の合成樹脂製フィルターは一般に知られている。しかしながら、この一般に知られている合成樹脂製フィルターにおいては、全体が同様の網目状のパターンに形成されているので、ゴミ、埃、塵等の混入出を防止する能力を高めるために細かな網目状となした場合には、相対的に厚さも薄くなって強度が低下すると共に通過されるべき流入出量が確保されなくなり、又、網目状の各開口内に補強リブを架設した形状として一体に形成した場合には、強度はある程度保持されるものの、同様に流入出量が確保されなくなると共に外観面で網目状のパターンが崩れて満足できないものとなるという問題があった。
【０００３】
又、実公昭６３−１０８０５号公報にも「プラスチック製フィルタエレメント」が開示されており、該「プラスチック製フィルタエレメント」は「成形後に成形品の補助リブとなる補助ランナを設け、この補助ランナと、補助ランナを通じて供給される材料で構成される目の細かい網目部とを一体成形したことを特徴とする」ものである。同「プラスチック製フィルタエレメント」は、本願図４〜６に示す如く、開口部１が複数配設された格子状体２の各開口部１内に多数の桟状片３を縦横方向に各々架設して網目状を構成し、これを合成樹脂にて一体に形成してなるものである。この場合、格子状体２を構成する縦横方向の格子片４は各々二本づつで相互に直交するように配置されており、該直交する交差部分にゲート跡８が存在し、同交差部分から合成樹脂材料が注入されて成形されるものである。したがって、格子状体２の各格子片４の部分を通じて網目状となる各桟状片３の部分にも合成樹脂材料が確実に供給されるので、網目状の部分に合成樹脂材料が回り難いという成形上の問題点が解決されるものである。
【０００４】
【発明が解決しようとする課題】
しかしながら、上記実公昭６３−１０８０５号公報に開示されたものは、細かな網目状を補強すると共に成形上の問題点を解決するために格子状体２を一体に形成したものであり、その主体が細かな網目状の桟状片３で形成され補助的に格子状体２が付加されただけのものであって、このようなものにおいては充分な強度が得られず、又、外観面でも、細かな網目状パターンと格子状体２による大きな格子状パターンとが併存して現出し違和感を生じるものであった。しかも、この場合には、網目状パターン及び格子状パターンがいずれも四角形となる形状配設パターンを構成し、縦横方向各々の格子片４と桟状片３とが相互に平行となって揃ってしまい、側方からの外力に対して座屈変形し易いものとなっていた。
【０００５】
本発明は、上記従来の技術における問題を解決するために発明されたもので、すなわち、その課題は、ゴミ、埃、塵等の混入出を防止する防塵能力が高く、しかも、充分な強度を得ることができ、外観面でも違和感が生じ難くて良好で、通過されるべき流入出量の減少も防止され、合成樹脂により一体成形して簡単且つ安価に製作することができる合成樹脂製フィルターを提供することである。
【０００６】
【課題を解決するための手段】
本発明の請求項１記載の合成樹脂製フィルターは、多角形又は円形である同じ形状の開口部が多数配設された格子状体の各開口部内に桟状片を架設して、該多数の桟状片により前記開口部の形状とは異形となる形状配設パターンを構成し、各桟状片の厚み及び巾寸法を格子状体を構成する各格子片の厚み及び巾寸法よりも小さく設定して同各桟状片を前記開口部の厚さスペース範囲内に納めてなり、これを合成樹脂にて一体に形成してなる。
【０００７】
したがって、この場合、開口部内に桟状片が架設一体化されるので、格子状体が補強されると共に、同桟状片によりゴミ、埃、塵等が捕捉されて防塵能力も向上する。しかも、各桟状片の厚み及び巾寸法が格子状体を構成する各格子片の厚み及び巾寸法よりも小さく設定されて同各桟状片が前記開口部の厚さスペース範囲内に納められているので、薄くて細くなる各桟状片は厚くて太くなる各格子片で囲まれ保護されてその破損が防止されると共に、流体は一旦開口部内に流入してから各桟状片間に至ってスムーズに同開口部を通過することになって該通過されるべき流入出量の減少も防止される。
【０００８】
又、格子状体による格子状パターンとこれとは異形となる桟状片による形状配設パターンとが併存することになるが、各桟状片は薄くて細く格子状体の開口部の厚さスペース範囲内に納まっているので、該桟状片による形状配設パターンは目立たず、同じ形状の開口部が多数配設された格子状パターンだけが強調されて現出して外観面でも違和感が生じ難くて良好となる。この場合、多角形又は円形である開口部が多数配設された格子状パターンと該開口部の形状とは異形となる形状配設パターンとが併存すると、格子片と桟状片とが相互に傾斜するように配置される関係が生じるので、同格子片と桟状片とが相互に補強し合って充分な強度が得られることになる。更には、主体となる格子状体に桟状片を付加しただけの形状となるので、全体を合成樹脂により一体成形して簡単且つ安価に製作することができる。
【０００９】
本発明の請求項２記載の合成樹脂製フィルターは、上記請求項１記載の合成樹脂製フィルターにおいて、格子状体の開口部が四角以上の多角形であり、該多角形の対角線上に少なくとも一方向の桟状片が配置されて、各桟状片により前記多角形とは異形の多角形となる形状配設パターンが構成されることを特徴とする。したがって、この場合は特に、格子状体の多角形の開口部の対角線上に桟状片が配置架設されることにより該開口部は変形し難くなって、同格子状体の側方からの外力に対する座屈変形が確実に防止されるようになる。
【００１０】
本発明の請求項３記載の合成樹脂製フィルターは、上記請求項２記載の合成樹脂製フィルターにおいて、格子状体の開口部が正六角形であり、該正六角形の中心を通る一対角線上に一方向の桟状片が配置されると共に、該桟状片の中央でこれと直交する方向に他方向の桟状片が配置されて、両方向の各桟状片により正四角形となる形状配設パターンが構成されることを特徴とする。したがって、この場合は特に、正六角形の格子状パターンが強調されて現出する外観を得ることができ、同正六角形の開口部の変形が略十字状に交差する両桟状片によって効果的に防止される。
【００１１】
本発明の請求項４記載の合成樹脂製フィルターは、上記請求項１〜３のいずれか一つの請求項記載の合成樹脂製フィルターにおいて、各桟状片の厚さ方向での端部側面がＲ状小凸曲面として形成されていることを特徴とする。したがって、この場合は特に、格子状体の開口部内に流入した流体が各桟状片に当たってもＲ状小凸曲面に沿って滑らかに流れるので、同開口部を通過されるべき流入出量が保持される。
【００１２】
本発明の請求項５記載の合成樹脂製フィルターは、上記請求項１〜４のいずれか一つの請求項記載の合成樹脂製フィルターにおいて、格子状体を構成する各格子片の厚さ方向での端部側面がＲ状大凸曲面として形成されていることを特徴とする。したがって、この場合は特に、流体は格子状体の各格子片に当たってもＲ状大凸曲面に沿って滑らかに開口部内に流入されよりスムーズに同開口部を通過することになって、該通過されるべき流入出量が確保される。
【００１３】
【発明の実施の形態】
図１〜３は、本発明の請求項１〜５全てに対応する一実施形態を示し、該実施形態の合成樹脂製フィルターは、多角形又は円形である同じ形状の開口部１が多数配設された格子状体２の各開口部１内に桟状片３を架設して、該多数の桟状片３により前記開口部１の形状とは異形となる形状配設パターンＡを構成し、各桟状片３の厚み及び巾寸法ｔ、ｈを格子状体２を構成する各格子片４の厚み及び巾寸法Ｔ、Ｈよりも小さく設定して同各桟状片３を前記開口部１の厚さスペース範囲内に納めてなり、これを合成樹脂にて一体に形成してなる。
【００１４】
又、該実施形態の合成樹脂製フィルターにおいては、格子状体２の開口部１が四角以上の多角形であり、該多角形の対角線上に少なくとも一方向の桟状片３ａが配置されて、各桟状片３により前記多角形とは異形の多角形となる形状配設パターンＡが構成されている。この場合、格子状体２の開口部１が正六角形であり、該正六角形の中心を通る一対角線上に一方向の桟状片３ａが配置されると共に、該桟状片３ａの中央でこれと直交する方向に他方向の桟状片３ｂが配置されて、両方向の各桟状片３ａ、３ｂにより正四角形となる形状配設パターンＡが構成されている。又、各桟状片３の厚さ方向での端部側面がＲ状小凸曲面５として形成されると共に、格子状体２を構成する各格子片４の厚さ方向での端部側面がＲ状大凸曲面６として形成されている。
【００１５】
格子状体２は全体が円形状に形成され、その周縁に周囲枠７が一体に形成されており、該周囲枠７は載置用となるために同格子状体２から垂下されている。格子状体２は多数の同じ大きさで正六角形の開口部１を有しており、隣接する正六角形の各辺が相互に格子片４を共用するように各開口部１は縦横方向に配列形成されていて、図２に示す如く、正六角形の格子状パターンＢが構成される。格子状体２は各桟状片３と共に合成樹脂にて一体に射出成形されたものであり、この場合、厚肉状となる格子状体２の格子片４或いは周囲枠７の部分から合成樹脂材料が注入されることによって、薄肉状となる各桟状片３にも同合成樹脂材料は確実に供給される。
【００１６】
又、格子状体２の各開口部１内には、正六角形の対角線上に配置される縦方向の桟状片３ａと同正六角形の対向辺の中央間に架設配置される横方向の桟状片３ｂとが相互に中央で交差するよう十字状に架設一体化されている。該十字状となる縦横方向の桟状片３ａ、３ｂが隣接する開口部１間で格子片４を介し相互に連続することによって、図２に示す如く、多数の同桟状片３ａ、３ｂにて長方形となる形状配設パターンＡが構成される。
【００１７】
桟状片３の厚み及び巾寸法ｔ、ｈは格子片４の厚み及び巾寸法Ｔ、Ｈよりも小さく設定され、各桟状片３は厚さ方向に長い同じ大きさの長方形断面となっており、各格子片４はこれよりも大きい厚さ方向に長い同じ大きさの長方形断面となっている。又、桟状片３の厚さ方向での上下両端部の側面は各々Ｒ状小凸曲面５として形成されており、格子片４の厚さ方向での上下両端部の側面も各々Ｒ状大凸曲面６として形成されており、各桟状片３は格子片４の厚さ方向の略中央位置に配設されている。
【００１８】
この場合、図３に示す如く、上方から流入する流体の受け入れ面積は、桟状片３よりも上方へ突出する格子片４にて囲まれた開口部１によって大きく確保される。すなわち、側方から流れてくる流体も各桟状片３に邪魔されることなく流路抵抗の少ない状態で各開口部１内に流入し、同流体は一旦開口部１内に流入してから各桟状片３間に至ってスムーズに各開口部１を通過することになり、該通過されるべき流入出量の減少が防止される。しかも、この場合に、流体は格子状体２の各格子片４に当たってもその上側面のＲ状大凸曲面６に沿って滑らかに開口部１内に流入されよりスムーズに該開口部１を通過することになり、更には、同開口部１内に流入した流体は各桟状片３に当たってもその上側面のＲ状小凸曲面５に沿って滑らかに流れるので、同開口部１を通過されるべき流入出量が確保される。
【００１９】
又、各桟状片３は開口部１の厚さスペース範囲内に納められているので、薄くて細くなる同各桟状片３は厚くて太くなる各格子片４で囲まれ保護されてその破損が防止される。すなわち、外要因からの衝撃に対しては、厚肉で太巾の格子片４で構成され正六角形の格子状パターンＢとなる格子状体２が受けることになるので、薄肉で細巾の桟状片３で構成され正四角形の形状配設パターンＡとなる同各桟状片３には直接に加わることがない。
【００２０】
したがって、該実施形態の合成樹脂製フィルターにおいては、開口部１内に桟状片３が架設一体化されるので、格子状体２が補強されると共に、同桟状片３によりゴミ、埃、塵等が捕捉されて防塵能力も向上する。しかも、各桟状片３の厚み及び巾寸法ｔ、ｈが格子状体２を構成する各格子片４の厚み及び巾寸法Ｔ、Ｈよりも小さく設定されて同各桟状片３が前記開口部１の厚さスペース範囲内に納められているので、薄くて細くなる各桟状片３は厚くて太くなる各格子片４で囲まれ保護されてその破損が防止されると共に、流体は一旦開口部１内に流入してから各桟状片３間に至ってスムーズに同開口部１を通過することになり、該通過されるべき流入出量の減少も防止される。
【００２１】
又、格子状体２による格子状パターンＢとこれとは異形となる桟状片４による形状配設パターンＡとが併存することになるが、各桟状片３は薄くて細く格子状体２の開口部１の厚さスペース範囲内に納まっているので、該桟状片４による形状配設パターンＡは目立たず、同じ形状の開口部１が多数配設された格子状パターンＢだけが強調されて現出して外観面でも違和感が生じ難くて良好となる。この場合、多角形又は円形である開口部１が多数配設された格子状パターンＢと該開口部１の形状とは異形となる形状配設パターンＡとが併存すると、格子片４と桟状片３とが相互に傾斜するように配置される関係が生じるので、同格子片４と桟状片３とが相互に補強し合って充分な強度が得られることになる。更には、主体となる格子状体２に桟状片３を付加しただけの形状となるので、全体を合成樹脂により射出成形で一体成形して簡単且つ安価に製作することができる。
【００２２】
又、該実施形態の合成樹脂製フィルターにおいては、格子状体２の多角形の開口部１の対角線上に桟状片３ａが配置架設されることにより該開口部１は変形し難くなって、同格子状体２の側方外周からの外力に対する座屈変形が確実に防止されるようになる。この場合、開口部１が正六角形であり、該正六角形の中心を通る一対角線上に一方向の桟状片３ａが配置されると共に、該桟状片３ａの中央でこれと直交する方向に他方向の桟状片３ｂが配置されて、両方向の各桟状片３ａ、３ｂにより正四角形となる形状配設パターンＡが構成されるので、正六角形の格子状パターンＢが強調されて現出する外観を得ることができると共に、同正六角形となる開口部１の変形が略十字状に交差する両桟状片３ａ、３ｂによって効果的に防止される。
【００２３】
又、該実施形態の合成樹脂製フィルターにおいては、各桟状片３の厚さ方向での端部側面がＲ状小凸曲面５として形成されているので、格子状体２の開口部１内に流入した流体が各桟状片３に当たってもＲ状小凸曲面５に沿って滑らかに流れて、同開口部１を通過されるべき流入出量が保持される。更には、格子状体２を構成する各格子片４の厚さ方向での端部側面もＲ状大凸曲面６として形成されているので、流体は格子状体２の各格子片４に当たってもＲ状大凸曲面６に沿って滑らかに開口部１内に流入されよりスムーズに同開口部１を通過することになって、該通過されるべき流入出量が確保される。
【００２４】
【発明の効果】
上述の如く、本発明の請求項１記載の合成樹脂製フィルターにおいては、桟状片が架設されることによって格子状体が補強されると共に防塵能力も向上し、しかも、同桟状片は格子片で保護されてその破損が防止されると共に流体がスムーズに通過することになって該通過されるべき流入出量の減少も防止され、又、格子状パターンとこれとは異形となる桟状片による形状配設パターンとが併存することになるが、該桟状片による形状配設パターンは目立たず、同じ形状の開口部が多数配設された格子状パターンだけが強調され外観面でも違和感が生じ難くて良好となり、この場合、格子片と桟状片とが相互に補強し合って充分な強度が得られることにもなり、更には、全体を合成樹脂により一体成形して簡単且つ安価に製作することもできる。
【００２５】
又、本発明の請求項２記載の合成樹脂製フィルターにおいては、特に、格子状体の多角形の開口部の対角線上に桟状片が配置架設されることにより該開口部は変形し難くなって、同格子状体の側方からの外力に対する座屈変形が確実に防止されるようになる。
【００２６】
又、本発明の請求項３記載の合成樹脂製フィルターにおいては、特に、正六角形の格子状パターンが強調されて現出する外観を得ることができ、同正六角形の開口部の変形が略十字状に交差する両桟状片によって効果的に防止される。
【００２７】
又、本発明の請求項４記載の合成樹脂製フィルターにおいては、特に、格子状体の開口部内に流入した流体が各桟状片に当たってもＲ状小凸曲面に沿って滑らかに流れるので、同開口部を通過されるべき流入出量が保持される。
【００２８】
又、本発明の請求項５記載の合成樹脂製フィルターにおいては、特に、流体は格子状体の各格子片に当たってもＲ状大凸曲面に沿って滑らかに開口部内に流入されよりスムーズに同開口部を通過することになって、該通過されるべき流入出量が確保される。
【図面の簡単な説明】
【図１】本発明の一実施形態である合成樹脂製フィルターを示す要部拡大斜視図。
【図２】同合成樹脂製フィルターを示す全体平面図。
【図３】同合成樹脂製フィルターを示す要部拡大断面図。
【図４】従来例であるプラスチック製フィルタエレメントを示す全体平面図。
【図５】同プラスチック製フィルタエレメントを示す要部拡大平面図。
【図６】図５におけるＸ−Ｘ断面図。
【符号の説明】
１  開口部
２  格子状体
３  桟状片
４  格子片
５  Ｒ状小凸曲面
６  Ｒ状大凸曲面
【図１】
0003577857.tif 000002
【図２】
0003577857.tif 000003
【図３】
0003577857.tif 000004
【図４】
0003577857.tif 000005
【図５】
0003577857.tif 000006
【図６】
0003577857.tif 000007